(57)【特許請求の範囲】
【請求項１】
広域アクセス網に接続された端末装置及びアプリケーションサービス切換え制御装置と、前記広域アクセス網に接続されたアプリケーションサービス切換え装置と、該アプリケーションサービス切換え装置に接続された複数のアプリケーションサービス提供網と、前記アプリケーションサービス提供網に接続された複数のアプリケーションサービス提供サーバとを含むＩＰパケット転送システムにおいて、前記端末装置から前記アプリケーションサービス切換え装置を介して前記複数のアプリケーションサービス提供網の何れかへＩＰパケットを振分けて転送するＩＰパケット振分け転送方法であって、
前記端末装置は、接続先のアプリケーションサービス提供サーバへＩＰパケットを送信するときに、前記広域アクセス網を介して前記アプリケーションサービス切換え制御装置に前記送信先のアプリケーションサービス提供サーバのドメイン解決要求を送信し、
前記端末装置から前記ドメイン解決要求を受信した前記アプリケーションサービス切換え制御装置は、前記受信したドメイン解決要求に含まれる端末装置のＩＰアドレスと前記接続先アプリケーションサービス提供サーバのドメイン名を検索キーにして、前記端末装置がアクセス可能なアプリケーションサービス提供網の情報が格納されているアクセス用データベースを検索し、該検索によって該当するアプリケーションサービス提供網が抽出されたときに、前記アプリケーションサービス切換え装置へ転送切換用データベースの書換え要求を送信し、該当するアプリケーションサービス提供網が抽出されないときは前記端末装置へ前記広域アクセス網を介してエラー応答を送信し、
前記書換え要求を受信した前記アプリケーションサービス切換え装置は、前記受信した書換え要求に基づいて、転送切換用データベース内に格納されている前記端末装置からのＩＰパケットを転送するアプリケーションサービス提供網の情報を書換えた後に、前記広域アクセス網を介して前記アプリケーションサービス切換え制御装置に書換え完了通知を送信し、
前記アプリケーションサービス切換え装置から前記書換え完了通知を受信した前記アプリケーションサービス切換え制御装置は、前記広域アクセス網を介して前記端末装置へドメイン解決応答を送信し、
前記アプリケーションサービス切換え制御装置から前記ドメイン解決応答を受信した前記端末装置は、前記受信したドメイン解決応答に含まれるアプリケーションサービス提供サーバのＩＰアドレスを宛先としたＩＰパケットを前記広域アクセス網を介して送信し、
前記アプリケーションサービス切換え装置は、前記広域アクセス網を転送されてきたＩＰパケットを受信し、該ＩＰパケットに含まれる送信元端末装置のＩＰアドレスを検索キーにして、前記端末装置のＩＰアドレスと前記端末装置からのＩＰパケットを転送するアプリケーションサービス提供網の情報が対応づけられて格納されている前記転送切換用データベースを検索し、該検索によって抽出したアプリケーションサービス提供網へ前記受信したＩＰパケットを転送することにより、該アプリケーションサービス提供網を転送されたＩＰパケットをアプリケーションサービス提供サーバへ到達させる
ことを特徴とするＩＰパケット振分け転送方法。
【請求項２】
広域アクセス網に接続され且つユーザによって操作される端末装置と、前記広域アクセス網に接続されたアプリケーションサービス切換え装置と、該アプリケーションサービス切換え装置に接続された複数のアプリケーションサービス提供網と、前記アプリケーションサービス提供網に接続された複数のアプリケーションサービス提供サーバとを含み、前記端末装置から前記アプリケーションサービス切換え装置を介して前記複数のアプリケーションサービス提供網の何れかへＩＰパケットを転送するＩＰパケット転送システムにおいて、
前記広域アクセス網に接続されたアプリケーションサービス切換え制御装置を設け、
前記端末装置は、
ユーザから前記アプリケーションサービス提供サーバへの接続要求を受けたときに、接続先のアプリケーションサービス提供サーバへＩＰパケットを送信する前に、前記広域アクセス網を介して前記アプリケーションサービス切換え制御装置に前記接続先アプリケーションサービス提供サーバのドメイン解決要求を送信する手段と、
前記アプリケーションサービス切換え制御装置から前記広域アクセス網を介して前記ドメイン解決応答を受信したときに、該ドメイン解決応答に含まれるアプリケーションサービス提供サーバのＩＰアドレスを宛先としたＩＰパケットを前記広域アクセス網を介して送信する手段とを有し、
前記アプリケーションサービス切換え制御装置は、
前記端末装置のＩＰアドレスと、前記端末装置がアクセス可能なアプリケーションサービス提供網の情報が対応づけられて格納されているアクセス用データベースと、
前記広域アクセス網を介して前記端末装置から送信された前記ドメイン解決要求を受信する手段と、
前記受信したドメイン解決要求に含まれる前記端末装置のＩＰアドレスと前記接続先のアプリケーションサービス提供サーバのドメイン名を検索キーにして前記アクセス用データベースを検索する手段と、
前記検索の結果、該当するアプリケーションサービス提供網が抽出されたときに、前記広域アクセス網を介して前記アプリケーションサービス切換え装置に転送切換用データベースの書換え要求を送信する手段と、
前記検索の結果、該当するアプリケーションサービス提供網が抽出されないときに、前記広域アクセス網を介して前記端末装置へエラー応答を送信する手段と、
前記広域アクセス網を介して前記アプリケーションサービス切換え装置から前記書換え要求に対する書換え完了通知を受信したときに、前記広域アクセス網を介して前記端末装置に前記接続先アプリケーションサービス提供サーバのＩＰアドレスを含むドメイン解決応答を送信する手段とを有し、
前記アプリケーションサービス切換え装置は、
前記端末装置のＩＰアドレスと、前記端末装置からのＩＰパケットを転送するアプリケーションサービス提供網の情報が対応づけられて格納されている前記転送切換用データベースと、
前記広域アクセス網を介して前記アプリケーションサービス切換え制御装置から書換え要求を受信したときに、該書換え要求に基づいて前記転送切換用データベース内の情報を書換える手段と、
前記データベースを書換えた後に、前記広域アクセス網を介して前記アプリケーションサービス切換え制御装置に書換え完了通知を送信する手段と、
前記広域アクセス網を介して前記端末装置から受信したＩＰパケットに含まれる送信元端末装置のＩＰアドレスを検索キーにして前記転送切換用データベースを検索する手段と、
前記検索によって抽出したアプリケーションサービス提供網へ前記端末装置から受信したＩＰパケットを転送する手段とを有する
ことを特徴とするＩＰパケット振分け転送システム。
【請求項３】
広域アクセス網に接続され且つユーザによって操作される端末装置と、前記広域アクセス網に接続され且つ転送切換用データベースに基づいてＩＰパケットの転送先を切換えるアプリケーションサービス切換え装置と、前記アプリケーションサービス切換え装置に接続された複数のアプリケーションサービス提供網と、前記アプリケーションサービス提供網に接続された複数のアプリケーションサービス提供サーバと、前記広域アクセス網を介して受信したドメイン解決要求に基づいて前記アプリケーションサービス切換え装置に転送切換用データベースの書換えを要求し、前記アプリケーションサービス切換え装置から受信した書換え完了通知に基づいてドメイン解決応答を前記広域アクセス網を介して送信するアプリケーションサービス切換え制御装置とを含み、前記端末装置から前記アプリケーションサービス切換え装置を介して前記複数のアプリケーションサービス提供網の何れかへＩＰパケットを振分けて転送するＩＰパケット振分け転送システムにおける前記端末装置であって、
ユーザから前記アプリケーションサービス提供サーバへの接続要求を受けたときに、接続先のアプリケーションサービス提供サーバへＩＰパケットを送信する前に、前記広域アクセス網を介して前記アプリケーションサービス切換え制御装置に前記接続先アプリケーションサービス提供サーバのドメイン解決要求を送信する手段と、
前記アプリケーションサービス切換え制御装置から前記広域アクセス網を介して前記ドメイン解決応答を受信したときに、該ドメイン解決応答に含まれるアプリケーションサービス提供サーバのＩＰアドレスを宛先としたＩＰパケットを前記広域アクセス網を介して送信する手段とを備えている
ことを特徴とするＩＰパケット振分け転送システムの端末装置。
【請求項４】
広域アクセス網に接続され且つユーザによって操作される端末装置と、前記広域アクセス網に接続され且つ転送切換用データベースに基づいてＩＰパケットの転送先を切換えるアプリケーションサービス切換え装置と、前記アプリケーションサービス切換え装置に接続された複数のアプリケーションサービス提供網と、前記アプリケーションサービス提供網に接続された複数のアプリケーションサービス提供サーバと、前記アプリケーションサービス切換え装置を制御するアプリケーションサービス切換え制御装置とを含み、前記端末装置から前記アプリケーションサービス切換え装置を介して前記複数のアプリケーションサービス提供網の何れかへＩＰパケットを振分けて転送するＩＰパケット振分け転送システムにおける前記アプリケーションサービス切換え制御装置であって、前記端末装置のＩＰアドレスと、前記端末装置がアクセス可能なアプリケーションサービス提供網の情報が対応づけられて格納されているアクセス用データベースと、
前記広域アクセス網を介して前記端末装置から送信されたドメイン解決要求を受信する手段と、
前記受信したドメイン解決要求に含まれる端末装置のＩＰアドレスと接続先のアプリケーションサービス提供サーバのドメイン名を検索キーにして前記アクセス用データベースを検索する手段と、
前記検索の結果、該当するアプリケーションサービス提供網が抽出されたときに、前記広域アクセス網を介して前記アプリケーションサービス切換え装置に転送切換用データベースの書換え要求を送信する手段と、
前記検索の結果、該当するアプリケーションサービス提供網が抽出されないときに、前記広域アクセス網を介して前記端末装置へエラー応答を送信する手段と、
前記広域アクセス網を介して前記アプリケーションサービス切換え装置から前記書換え要求に対する書換え完了通知を受信したときに、前記広域アクセス網を介して前記端末装置に接続先アプリケーションサービス提供サーバのＩＰアドレスを含むドメイン解決応答を送信する手段とを備えている
ことを特徴とするＩＰパケット振分け転送システムのアプリケーションサービス切換え制御装置。
【請求項５】
広域アクセス網に接続され且つユーザによって操作される端末装置と、前記広域アクセス網に接続され且つ転送切換用データベースに基づいてＩＰパケットの転送先を切換えるアプリケーションサービス切換え装置と、前記アプリケーションサービス切換え装置に接続された複数のアプリケーションサービス提供網と、前記アプリケーションサービス提供網に接続された複数のアプリケーションサービス提供サーバと、前記アプリケーションサービス切換え装置を制御するアプリケーションサービス切換え制御装置とを含み、前記端末装置から前記アプリケーションサービス切換え装置を介して前記複数のアプリケーションサービス提供網の何れかへＩＰパケットを振分けて転送するＩＰパケット振分け転送システムにおける前記アプリケーションサービス切換え装置であって、
前記端末装置のＩＰアドレスと、前記端末装置からのＩＰパケットを転送するアプリケーションサービス提供網の情報が対応づけられて格納されている前記転送切換用データベースと、
前記広域アクセス網を介して前記アプリケーションサービス切換え制御装置から書換え要求を受信したときに、該書換え要求に基づいて前記転送切換用データベース内の情報を書換える手段と、
前記データベースを書換えた後に、前記広域アクセス網を介して前記アプリケーションサービス切換え制御装置に書換え完了通知を送信する手段と、
前記広域アクセス網を介して前記端末装置から受信したＩＰパケットに含まれる送信元端末装置のＩＰアドレスを検索キーにして前記転送切換用データベースを検索する手段と、
前記検索によって抽出したアプリケーションサービス提供網へ前記端末装置から受信したＩＰパケットを転送する手段とを備えている
ことを特徴とするＩＰパケット振分け転送システムのアプリケーションサービス切換え装置。
【発明の詳細な説明】
【０００１】
【発明の属する技術分野】
本発明は、広域アクセス網に接続された端末装置からアプリケーションサービスを提供するアプリケーションサービス提供網へＩＰパケットを転送するシステムに関し、特に広域アクセス網と複数のアプリケーションサービス提供網が切換え装置を介して接続され、切換え装置において端末装置からのＩＰパケットを転送するときにアプリケーションサービス提供網を選択して転送するＩＰパケット振分け転送方法及びそのシステムに関するものである。
【０００２】
【従来の技術】
従来の技術を用いてＩＰパケット振分け転送システムを実現する方法は、ユーザがアプリケーションサービスを提供するアプリケーションサービス提供網を明示的に示して接続する方法である。
【０００３】
この方法を用いたＩＰパケット振分け転送システムは、広域アクセス網と、広域アクセス網に接続し且つユーザによって操作される端末装置と、アプリケーションサービス提供サーバを接続したアプリケーションサービス提供網と、広域アクセス網とアプリケーションサービス提供網との間に設置されるＲＡＳ（リモート・アクセス・サーバ）により構成される。
【０００４】
ここで、ＲＡＳは、端末装置との間にＰＰＰコネクションを張り、ＰＰＰコネクションを基に、ＩＰパケットを転送するアプリケーションサービス提供網を振分ける装置である。
【０００５】
上記構成によって、ユーザは端末装置を利用してアプリケーションサービス提供サーバからサービスを受けることができる。
【０００６】
端末装置は、ＩＰパケットをアプリケーションサービス提供網へ送信する場合、最初に、ＰＰＰコネクションを張る。このとき、ユーザが、接続先のアプリケーションサービス提供網を意識して、ユーザＩＤとして「ユーザ名＠アプリケーションサービス提供網名」のように、接続先のアプリケーションサービス提供網を明示的に入力することで、振分先のアプリケーションサービス提供網用のＰＰＰコネクションを端末装置とＲＡＳ間に張っている。
【０００７】
その後、端末装置からのＩＰパケットは前記ＰＰＰコネクションにより、ＲＡＳで振分けられ、アプリケーションサービス提供網内にあるアプリケーションサービス提供サーバへ転送される。
【０００８】
ここで、通常、端末装置からアプリケーションサービス提供サーバへＩＰパケットを送信する場合、端末装置はアプリケーションサービス提供サーバのドメイン名を基にＩＰアドレスを解決し、その後、アプリケーションサービス提供サーバへＩＰパケットを送信している。
【０００９】
また、接続するアプリケーションサービス提供網を切換える場合も、ユーザはこれまでのＰＰＰコネクションを切断し、再度、接続先のアプリケーションサービス提供網を明示的に入力する必要がある。
【００１０】
【発明が解決しようとする課題】
しかしながら従来の方法では、ユーザが端末装置を利用してアプリケーションサービス提供網へ接続し、アプリケーションサービス提供サーバからサービスを受ける場合、ユーザは接続先のアプリケーションサービス提供網を明示的に入力する必要があるので、接続のたびにユーザに動作負荷が発生する。このため、ユーザは常に接続先のアプリケーションサービス提供網を意識する必要があった。
【００１１】
本発明の目的は上記の問題点に鑑み、ユーザが端末装置を利用してアプリケーションサービス提供網へ接続し、アプリケーションサービス提供サーバからサービスを受けるときに、ユーザが明示的に接続先のアプリケーションサービス提供網を入力する動作負荷を削減し、ユーザが常に接続先のアプリケーションサービス網を意識することなく通信を行えるＩＰパケット振分け転送方法及びそのシステムを提供することである。
【００１２】
【課題を解決するための手段】
本発明は上記の目的を達成するために、広域アクセス網に接続された端末装置及びアプリケーションサービス切換え制御装置と、前記広域アクセス網に接続されたアプリケーションサービス切換え装置と、該アプリケーションサービス切換え装置に接続された複数のアプリケーションサービス提供網と、前記アプリケーションサービス提供網に接続された複数のアプリケーションサービス提供サーバとを含むＩＰパケット転送システムにおいて、前記端末装置から前記アプリケーションサービス切換え装置を介して前記複数のアプリケーションサービス提供網の何れかへＩＰパケットを振分けて転送するＩＰパケット振分け転送方法であって、前記端末装置は、接続先のアプリケーションサービス提供サーバへＩＰパケットを送信するときに、前記広域アクセス網を介して前記アプリケーションサービス切換え制御装置に前記接続先のアプリケーションサービス提供サーバのドメイン解決要求を送信し、前記端末装置から前記ドメイン解決要求を受信した前記アプリケーションサービス切換え制御装置は、前記受信したドメイン解決要求に含まれる端末装置のＩＰアドレスと前記接続先アプリケーションサービス提供サーバのドメイン名を検索キーにして、前記端末装置がアクセス可能なアプリケーションサービス提供網の情報が格納されているアクセス用データベースを検索し、該検索によって該当するアプリケーションサービス提供網が抽出されたときに、前記アプリケーションサービス切換え装置へ転送切換用データベースの書換え要求を送信し、該当するアプリケーションサービス提供網が抽出されないときは前記端末装置へ前記広域アクセス網を介してエラー応答を送信し、前記書換え要求を受信した前記アプリケーションサービス切換え装置は、前記受信した書換え要求に基づいて、転送切換用データベース内に格納されている前記端末装置が接続するアプリケーションサービス提供網の情報を書換えた後に、前記広域アクセス網を介して前記アプリケーションサービス切換え制御装置に書換え完了通知を送信し、前記アプリケーションサービス切換え装置から前記書換え完了通知を受信した前記アプリケーションサービス切換え制御装置は、前記広域アクセス網を介して前記端末装置へドメイン解決応答を送信し、前記アプリケーションサービス切換え制御装置から前記ドメイン解決応答を受信した前記端末装置は、前記受信したドメイン解決応答に含まれるアプリケーションサービス提供サーバのＩＰアドレスを宛先としたＩＰパケットを前記広域アクセス網を介して送信し、前記アプリケーションサービス切換え装置は、前記広域アクセス網を転送されてきたＩＰパケットを受信し、該ＩＰパケットに含まれる送信元端末装置のＩＰアドレスを検索キーにして、前記端末装置のＩＰアドレスと前記端末装置からのＩＰパケットを転送するアプリケーションサービス提供網の情報が対応づけられて格納されている前記転送切換用データベースを検索し、該検索によって抽出したアプリケーションサービス提供網へ前記受信したＩＰパケットを転送することにより、該アプリケーションサービス提供網を転送されたＩＰパケットをアプリケーションサービス提供サーバへ到達させるＩＰパケット振分け転送方法を提案する。
【００１３】
本発明のＩＰパケット振分け転送方法は、従来の方法で問題となる、ユーザが、接続先のアプリケーションサービス提供網を常に意識し、明示的に接続先のアプリケーションサービス提供網を入力する動作負荷を削減するために、アプリケーションサービス切換え装置の動作を制御するアプリケーションサービス切換え制御装置を有することを最も主要な特徴とする。
【００１４】
本発明によるＩＰパケット振分け転送方法によれば、前記アプリケーションサービス切換え制御装置と前記アプリケーションサービス切換え装置とを連携して動作させることができ、前記端末装置からのドメイン解決要求により前記端末装置からのＩＰパケットを対応するアプリケーションサービス提供網へ振分け転送することを可能にするので、本発明の目的である、ユーザが意識して接続先のアプリケーションサービス提供網を明示的に入力する動作負荷を生ずること無しにＩＰパケットの振分け転送を実現可能にする。
【００１５】
また、本発明は上記ＩＰパケット振分け転送方法を実現する転送システムとして、広域アクセス網に接続され且つユーザによって操作される端末装置と、前記広域アクセス網に接続されたアプリケーションサービス切換え装置と、該アプリケーションサービス切換え装置に接続された複数のアプリケーションサービス提供網と、前記アプリケーションサービス提供網に接続された複数のアプリケーションサービス提供サーバとを含み、前記端末装置から前記アプリケーションサービス切換え装置を介して前記複数のアプリケーションサービス提供網の何れかへＩＰパケットを転送するＩＰパケット転送システムにおいて、前記広域アクセス網に接続されたアプリケーションサービス切換え制御装置を設け、前記端末装置は、ユーザから前記アプリケーションサービス提供サーバへの接続要求を受けたときに、接続先のアプリケーションサービス提供サーバへＩＰパケットを送信する前に、前記広域アクセス網を介して前記アプリケーションサービス切換え制御装置に前記接続先アプリケーションサービス提供サーバのドメイン解決要求を送信する手段と、前記アプリケーションサービス切換え制御装置から前記広域アクセス網を介して前記ドメイン解決応答を受信したときに、該ドメイン解決応答に含まれるアプリケーションサービス提供サーバのＩＰアドレスを宛先としたＩＰパケットを前記広域アクセス網を介して送信する手段とを有し、前記アプリケーションサービス切換え制御装置は、前記端末装置のＩＰアドレスと、前記端末装置がアクセス可能なアプリケーションサービス提供網の情報が対応づけられて格納されているアクセス用データベースと、前記広域アクセス網を介して前記端末装置から送信された前記ドメイン解決要求を受信する手段と、前記受信したドメイン解決要求に含まれる前記端末装置のＩＰアドレスと前記接続先のアプリケーションサービス提供サーバのドメイン名を検索キーにして前記アクセス用データベースを検索する手段と、前記検索の結果、該当するアプリケーションサービス提供網が抽出されたときに、前記広域アクセス網を介して前記アプリケーションサービス切換え装置に転送切換用データベースの書換え要求を送信する手段と、前記検索の結果、該当するアプリケーションサービス提供網が抽出されないときに、前記広域アクセス網を介して前記端末装置へエラー応答を送信する手段と、前記広域アクセス網を介して前記アプリケーションサービス切換え装置から前記書換え要求に対する書換え完了通知を受信したときに、前記広域アクセス網を介して前記端末装置に前記接続先アプリケーションサービス提供サーバのＩＰアドレスを含むドメイン解決応答を送信する手段とを有し、前記アプリケーションサービス切換え装置は、前記端末装置のＩＰアドレスと、前記端末装置からのＩＰパケットを転送するアプリケーションサービス提供網の情報が対応づけられて格納されている前記転送切換用データベースと、前記広域アクセス網を介して前記アプリケーションサービス切換え制御装置から書換え要求を受信したときに、該書換え要求に基づいて前記転送切換用データベース内の情報を書換える手段と、前記データベースを書換えた後に、前記広域アクセス網を介して前記アプリケーションサービス切換え制御装置に書換え完了通知を送信する手段と、前記広域アクセス網を介して前記端末装置から受信したＩＰパケットに含まれる送信元端末装置のＩＰアドレスを検索キーにして前記転送切換用データベースを検索する手段と、前記検索によって抽出したアプリケーションサービス提供網へ前記端末装置から受信したＩＰパケットを転送する手段とを有するＩＰパケット振分け転送システムを構成した。
【００１６】
本発明のＩＰパケット振分け転送システムにおいて、前記端末装置は、ユーザから前記アプリケーションサービス提供サーバへの接続要求を受けたときに、接続先のアプリケーションサービス提供サーバへＩＰパケットを送信する前に前記広域アクセス網を介して前記アプリケーションサービス切換え制御装置に前記接続先アプリケーションサービス提供サーバのドメイン解決要求を送信し、これに対応するドメイン解決応答を受信したときに、該ドメイン解決応答に含まれるアプリケーションサービス提供サーバのＩＰアドレスを宛先としたＩＰパケットを前記広域アクセス網を介して送信する。また、前記アプリケーションサービス切換え制御装置は、前記端末装置からのドメイン解決要求を基に端末装置が要求する接続先のアプリケーションサービス提供網を決定し、アプリケーションサービス切換え装置の転送切換用データベースを書換える。さらに、前記アプリケーションサービス切換え装置は、転送切換用データベースに基づいて、前記端末装置から送信されたＩＰパケットを、対応するアプリケーションサービス提供網へ振分け転送する。
【００１７】
本発明のＩＰパケット振分け転送システムは、前記アプリケーションサービス切換え制御装置により、前記端末装置からのドメイン解決要求を契機として前記アプリケーションサービス切換え装置の転送切換用データベースの情報を書換えて変更する点が従来のシステムとは異なる。
【００１８】
従って、本発明のＩＰパケット振分け転送システムは、前記アプリケーションサービス切換え制御装置と前記アプリケーションサービス切換え装置とを連携して動作させることができ、前記端末装置からのドメイン解決要求により前記端末装置からのＩＰパケットを対応するアプリケーションサービス提供網へ振分け転送することを可能にするので、本発明の目的である、ユーザが意識して接続先のアプリケーションサービス提供網を明示的に入力する動作負荷を生ずること無しにＩＰパケットの振分け転送を実現可能にする。
【００１９】
【発明の実施の形態】
以下、図面に基づいて本発明の一実施形態を説明する。
【００２０】
図１は本発明の一実施形態におけるＩＰパケット振分け転送システムを示すブロック構成図、図２は一実施形態におけるアプリケーションサービス切換え制御装置を示すブロック構成図、図３は一実施形態におけるアプリケーションサービス切換え装置を示すブロック構成図である。
【００２１】
図１において、101は周知のコンピュータ装置からなる端末装置で、広域アクセス網2000に接続されている。さらに、広域アクセス網2000には、アプリケーションサービス切換え制御装置102とアプリケーションサービス切換え装置103が接続されている。
【００２２】
また、アプリケーションサービス切換え装置103には、アプリケーションサービス提供サーバ104-1を接続するアプリケーションサービス提供網3000-1と、アプリケーションサービス提供サーバ104-2を接続するアプリケーションサービス提供網3000-2が接続され、広域アクセス網2000とアプリケーションサービス提供網3000-1，3000-2との間にアプリケーションサービス切換え装置103が設置される構成になっている。
【００２３】
アプリケーションサービス切換え制御装置102は、図２に示すとおり、広域アクセス網2000を介してＩＰパケットを送受信する送受信部30-1と、受信ＩＰパケットのＤＮＳ処理を行うＤＮＳ部30-2と、アプリケーションサービス提供網を選択するテーブルが格納されたアクセス用データベース有し、このテーブルを用いてアプリケーションサービス提供網を選択する振分け先選択部30-4と、アプリケーションサービス切換え装置103を制御する必要があるか否かを判定する判定部30-3と、アプリケーションサービス切換え装置103を制御する制御部30-5とから成り、送受信部30-1がＤＮＳ部30-2と制御部30-5に接続し、判定部30-3がＤＮＳ部30-2と制御部30-5と振分け先選択部30-4に接続する構成である。
【００２４】
尚、振分け先選択部30-4が保持するテーブルには、端末装置のＩＰアドレスと各端末装置がアクセス可能なアプリケーションサービス提供網のエントリ情報がドメイン名を検索キーとして対応付けられて格納されている。
【００２５】
アプリケーションサービス切換え装置は、図３に示すとおり、ＩＰパケットを送受信する送受信部50-1と、ＩＰパケットの転送先アプリケーションサービス網を決定する振分け部50-2と、転送先アプリケーションサービス提供網を決定するためのテーブルを保持するデータベース部50-3と、データベース部50-3のテーブルを設定する設定部50-4とから成り、送受信部50-1が振分け部50-2と設定部50-4と接続し、データベース部50-3が振分け部50-2と設定部50-4と接続する構成である。
【００２６】
尚、データベース部50-3が保持するテーブルには、端末装置のＩＰアドレスと各端末装置が接続するアプリケーションサービス提供網のエントリ情報とが対応づけられて格納されている。
【００２７】
次に、前述の構成よりなるＩＰパケット転送システムにおけるＩＰパケット転送方法及びシステムの動作について図４乃至図６を参照して説明する。
【００２８】
図４は本実施形態におけるＩＰパケット振分け転送方法を説明するシーケンス図、図５はアプリケーションサービス切換え制御装置内部の受信パケット処理手順を示すフローチャート、図６はアプリケーションサービス切換装置内部の受信ＩＰパケット処理手順を示すフローチャートである。
【００２９】
図４に示すように、ユーザは、端末装置101へアプリケーションサービス提供サーバ104-1に接続を要求する（ＳＡ１）。
【００３０】
ユーザから接続要求を受けた端末装置101は、アプリケーションサービス提供サーバ104-1のドメイン名を使用してドメイン解決要求をアプリケーションサービス切換え制御装置102へ送信し（ＳＡ２）、アプリケーションサービス提供サーバ104-1のＩＰアドレス解決を試みる。
【００３１】
ドメイン解決要求を受信したアプリケーションサービス切換え制御装置102は、図５に示す受信ＩＰパケット処理手順に従って、ドメイン解決処理を行う。
【００３２】
即ち、アプリケーションサービス切換え制御装置102は、図５に示す受信ＩＰパケット処理手順に従って、ＩＰパケットを受信する（ＳＢ１）と、受信したＩＰパケットがドメイン解決要求パケットであるか、書換え完了パケットであるかのパケット判定を行う（ＳＢ２）。
【００３３】
このＳＢ２の判定の結果、受信したＩＰパケットがドメイン解決要求パケットであるときは、アプリケーションサービス切換え制御装置102は、アプリケーションサービス切換え装置103に対して書換要求のパケットを送信する（ＳＡ３）。
【００３４】
即ち、アプリケーションサービス切換え制御装置102は、ＤＮＳ部30-2においてこのＩＰパケットから送信元ＩＰアドレスとドメイン名を抽出し、抽出した送信元ＩＰアドレスとドメイン名を判定部30-3に通知する（ＳＢ３）。
【００３５】
上記通知を受けた判定部30-3は、振分け先選択部30-4にドメイン名を通知して応答を待つ（ＳＢ４）。
【００３６】
ドメイン名を通知された振分け先選択部30-4は、ドメイン名を検索キーにしてテーブルを検索し、ドメイン名に対応するアプリケーションサービス提供網を抽出して、これを判定部30-3に応答する（ＳＢ５）。
【００３７】
振分け先選択部30-4から応答を受けた判定部30-3は、応答として受けたアプリケーションサービス提供網と送信元ＩＰアドレスを検索キーにしてテーブルを検索し、このアプリケーションサービス提供網をユーザがアクセス可能か否かを判定する（ＳＢ６）。即ち、端末装置101からのＩＰパケットが、アプリケーションサービス提供サーバ104-1を接続するアプリケーションサービス提供網3000-1へアクセス可能か否かを判定部30-3で判断する。
【００３８】
このＳＢ６の判定の結果、アクセス不可能な場合は、ＤＮＳ部30-2によってエラー応答パケットを作成し（ＳＢ７）、このエラー応答パケットを送受信部30-1によって端末装置101に送信する（ＳＢ８）。
【００３９】
また、前記ＳＢ６の判定の結果、アクセス可能な場合、判定部30-3は、送信元ＩＰアドレスとアプリケーションサービス提供網を制御部30-5に通知して応答を待つ（ＳＢ９）。
【００４０】
判定部30-3から送信元ＩＰアドレスとアプリケーションサービス提供網を通知された制御部30-5は、これを元にこれらの情報を含めた書換え要求パケットを作成し（ＳＢ１０）、送受信部30-1を介してアプリケーションサービス切換え装置に送信する（ＳＢ１１）。即ち、アクセス可能の場合は、アプリケーションサービス切換え装置103へ、端末装置１からのＩＰパケットの転送先アプリケーションサービス提供網をアプリケーションサービス提供網3000-1に設定するように要求する書換え要求パケットを送信する。
【００４１】
アプリケーションサービス切換え装置103は、図６に示す受信ＩＰパケット処理手順に従って、書換え要求に基づいてデータベースの設定変更を行った後に書換え応答をアプリケーションサービス切換え制御装置102に対して送信する（ＳＡ４）。
【００４２】
即ち、アプリケーションサービス切換え装置103は、アプリケーションサービス切換え制御装置102から書換え要求パケットを受信する（ＳＣ１）と、受信したＩＰパケットが端末装置101からのＩＰパケットであるか書換え要求パケットであるかのパケット判定を行う（ＳＣ２）。
【００４３】
この判定の結果、受信したＩＰパケットが書換え要求パケットであるときは、設定部50-5によって、書換え要求パケットから送信元ＩＰアドレスと振分け先アプリケーションサービス提供網を抽出し（ＳＣ７）、設定変更要求をデータベース部50-3に送る（ＳＣ８）。
【００４４】
設定部50-5から設定変更要求を受けたデータベース部50-3は、設定変更要求に基づいてデータベース部50-3に記憶されている転送先アプリケーションサービス提供網を決定するテーブルを書換え設定し、書換え設定完了を設定部50-5に通知する（ＳＣ９）。
【００４５】
設定完了通知を受けた設定部50-5は、書換え完了パケットを作成して（ＳＣ１０）、これを送受信部50-1を介してアプリケーションサービス切換え制御装置102へ送信する（ＳＣ１１）。
【００４６】
書換え完了パケット（書換応答）を受信したアプリケーションサービス切換え制御装置102は、図５に示す受信ＩＰパケット処理手順に従い、端末装置101へドメイン解決応答を送信する（ＳＡ５）。このときアプリケーションサービス切換え制御装置102は、制御部30-5によって書換え完了パケットを受信し（ＳＢ１２）、制御部30-5は書換完了を判定部30-3に通知する（ＳＢ１３）。
【００４７】
この通知を受けた判定部30-3は、ドメイン解決応答の許可をＤＮＳ部30-2に通知する（ＳＢ１４）。これを受けたＤＮＳ部30-2は、ドメイン解決後、ドメイン解決応答パケットを作成して（ＳＢ１５）、これを送受信部50-1を介して端末装置101に送信する（ＳＢ１６）。
【００４８】
端末装置101は、アプリケーションサービス切換え制御装置102からドメイン解決応答を受信した後に、広域アクセス網2000を介してアプリケーションサービス提供サーバ104-1宛てにＩＰパケットを送信する（ＳＡ６）。
【００４９】
端末装置101からアプリケーションサービス提供サーバ104-1宛てに送信されたＩＰパケットは、広域アクセス網2000内を転送されてアプリケーションサービス切換え装置103へ到達する。
【００５０】
アプリケーションサービス切換え装置103は、図６に示す受信ＩＰパケット処理手順に従って、端末装置101から受信したＩＰパケットをアプリケーションサービス提供サーバ104-1へ向けてアプリケーションサービス提供網3000-1へ転送する（ＳＡ７）。
【００５１】
このとき、アプリケーションサービス切換え装置103は、振分け部50-2によって、受信したＩＰパケットから送信元ＩＰアドレスを抽出してデータベース部50-3に通知する（ＳＣ３）。データベース部50-3は通知された送信元ＩＰアドレスを検索キーにしてテーブルを検索し、ＩＰパケットを送信するアプリケーションサービス提供網を抽出して、これを振分け部50-2に応答する（ＳＣ４）。
【００５２】
データベース部50-3から応答を受けた振分け部50-2は、この応答に基づいて、ＩＰパケットの振分け先アプリケーションサービス提供網を決定し、これを送受信部50-1に通知する（ＳＣ５）。
【００５３】
送受信部50-1は、端末装置101から受信したＩＰパケットを、振分け部50-2から通知された振分け先アプリケーションサービス提供網へ送信する（ＳＣ６）。
【００５４】
アプリケーションサービス提供サーバ104-1は、アプリケーションサービス提供網3000-1内を転送されて来た自己宛のＩＰパケットを受信する。
【００５５】
これにより、ユーザＩＤやパスワードの入力といった、ユーザが接続先のアプリケーションサービス提供網3000-1，3000-2を明示的に指示する動作無しに、広域アクセス網2000に接続された端末装置101からのＩＰパケットをアプリケーションサービス提供網3000-1へ送信することが可能になる。
【００５６】
次に、前述したアプリケーションサービス提供サーバ104-1へのＩＰパケット転送の後、ユーザが他のアプリケーションサービス提供サーバ104-2へ端末装置101からＩＰパケットを送信する場合について以下に説明する。
【００５７】
この場合も、前述と同様にして、端末装置101は、アプリケーションサービス提供サーバ104-2のドメイン名を使用してドメイン解決要求をアプリケーションサービス切換え制御装置102へ送り、アプリケーションサービス提供サーバ104-2のＩＰアドレス解決を試みる。
【００５８】
ドメイン解決要求を受信したアプリケーションサービス切換え制御装置102は図５に示す受信ＩＰパケット処理手順に従って、端末装置101からのＩＰパケットがアプリケーションサービス提供網3000-2へアクセス可能か否かを判定部30-3で判断し、可能な場合、端末装置101からのＩＰパケットの転送先アプリケーションサービス提供網を、アプリケーションサービス提供網3000-1からアプリケーションサービス提供網3000-2に書換えるように要求する書換え要求パケットをアプリケーションサービス切換え装置103へ送信する。
【００５９】
アプリケーションサービス切換え装置103はアプリケーションサービス切換え制御装置102から書換え要求パケットを受信すると図６に示すアプリケーションサービス切換え装置103内部の受信ＩＰパケット処理手順に従い、データベース部50-3の転送先アプリケーションサービス提供網を決定するテーブルのエントリを現在のアプリケーションサービス提供網3000-1から書換え要求に合わせてアプリケーションサービス提供網3000-2に設定変更し、書換え要求完了パケットをアプリケーションサービス切換え制御装置102へ広域アクセス網2000のＩＰパケットとして送信する。
【００６０】
アプリケーションサービス切換え制御装置102は、アプリケーションサービス切換え装置103から書換え完了パケットを受信すると、図５に示す受信ＩＰパケット処理手順に従い、端末装置101へドメイン解決応答を送信する。
【００６１】
端末装置101は、アプリケーションサービス切換え制御装置102からドメイン解決応答を受信すると、アプリケーションサービス提供サーバ104-2宛のＩＰパケットを送信する。
【００６２】
端末装置101から送信されたＩＰパケットは、広域アクセス網2000内を転送され、アプリケーションサービス切換え装置103へ到達する。
【００６３】
アプリケーションサービス切換え装置103は、図６に示す受信ＩＰパケット処理手順に従って、端末装置101から受信したＩＰパケットをアプリケーションサービス提供サーバ104-2へ向けてアプリケーションサービス提供網3000-2へ転送する。
【００６４】
アプリケーションサービス提供サーバ104-1は、アプリケーションサービス提供網3000-1内を転送された自己宛のＩＰパケットを受信する。
【００６５】
これにより、端末装置101からのＩＰパケットをアプリケーションサービス提供サーバ104-1から別のアプリケーションサービス提供サーバ104-2に接続を切換える場合、ユーザＩＤやパスワードの入力といった、ユーザが接続先を切換える別のアプリケーションサービス提供網3000-2を明示的に指示する動作無しに、接続先の切換えを容易に行うことができる。
【００６６】
【実施例】
次に、上記実施形態における具体的な一実施例について、図７を参照して詳細に説明する。
【００６７】
図７は本発明における一実施例のＩＰパケット転送システムを示すブロック構成図であり、物理網上に構築した仮想網により本発明を実施したものである。
【００６８】
図７において、物理構成としては、物理網100に、仮想網ごとに分離されたＩＰパケット転送処理機能を持つ収容装置10-1，10-2，10-3が設置されている。
【００６９】
収容装置10-1は端末装置１を収容し、収容装置10-2はアプリケーション提供サーバ4-1，4-2を収容し、収容装置10-3はアプリケーションサービス切換え装置３とアプリケーションサービス切換え制御装置２を収容している。
【００７０】
また、各収容装置10-1，10-2，10-3は、仮想網毎にＩＰパケットを転送するための転送処理機能を独立して保持している。
【００７１】
即ち、収容装置10-1は仮想広域アクセス網200用のＩＰパケット転送処理機能10-1-1を保持し、収容装置10-2は仮想アプリケーションサービス提供網300-1用のＩＰパケット転送処理機能10-2-2と仮想アプリケーションサービス提供網300-2用のＩＰパケット転送処理機能10-2-3とを保持している。また、収容装置10-3は、仮想広域アクセス網200用のＩＰパケット転送処理機能10-3-1と、仮想アプリケーションサービス提供網300-1用のＩＰパケット転送処理機能10-3-2、仮想アプリケーションサービス提供網300-2用のＩＰパケット転送処理機能10-3-3を保持している。
【００７２】
仮想網の構成は、端末装置１とアプリケーションサービス切換え装置２を接続する仮想広域アクセス網200と、アプリケーションサービス提供サーバ4-1を接続する仮想アプリケーションサービス提供網300-1、アプリケーションサービス提供サーバ4-2を接続する仮想アプリケーションサービス提供網300-2からなる。  ここで、仮想広域アクセス網200と仮想アプリケーションサービス提供網300-1との間、および仮想広域アクセス網200と仮想アプリケーションサービス提供網300-2との間に、アプリケーションサービス切替え装置３が設置される構成である。
【００７３】
また、本実施例では、端末装置１にＩＰアドレスＩＰ＿Ａが付与されていると共に、アプリケーションサービス切換え装置３にＩＰアドレスＩＰ＿Ｃ、アプリケーションサービス切換え制御装置２にＩＰアドレスＩＰ＿Ｂ、アプリケーションサービス提供サーバ4-1にＩＰアドレスＩＰ＿Ｄ、アプリケーションサービス提供サーバ4-2にＩＰアドレスＩＰ＿Ｅがそれぞれ付与されている。
【００７４】
さらに、収容装置10-1の仮想広域アクセス網200へのＩＰパケット転送処理機能10-1-1にＩＰアドレスCORE＿α＿200が付与され、収容装置10-2の仮想アプリケーションサービス提供網300-1へのＩＰパケット転送処理機能10-2-2にＩＰアドレスCORE＿γ＿300-1、仮想アプリケーションサービス提供網300-2へのＩＰパケット転送処理機能10-2-3にＩＰアドレスCORE＿γ＿300-2、収容装置10-3の仮想広域アクセス網200へのＩＰパケット転送処理機能10-3-1にＩＰアドレスCORE＿β＿200、仮想アプリケーションサービス提供網300-1へのＩＰパケット転送処理機能10-3-2にＩＰアドレスCORE＿β＿300-1、仮想アプリケーションサービス提供網300-2へのＩＰパケット転送処理機能10-3-2にＩＰアドレスCORE＿β＿300-2がそれぞれ付与されている。
【００７５】
尚、アプリケーションサービス切換え制御装置２の構成及びアプリケーションサービス切換え装置３の構成は、上記図２及び図３に示した構成と同じであるので、その説明を省略する。
【００７６】
次に、前述の構成よりなる実施例におけるＩＰパケットの振分け転送方法について説明する。
【００７７】
まず、端末装置１からアプリケーションサービス提供サーバ4-1へＩＰパケットを転送する方法を例として単一物理網100上でＩＰパケットが仮想網ごとに分離して転送される方法について説明する。
【００７８】
図７の、端末装置１からアプリケーションサービス提供サーバ4-1へＩＰパケットを転送する場合、端末装置１から送信されたＩＰパケットは収容装置10-1に転送される。
【００７９】
収容装置10-1では、端末装置１からのＩＰパケットは仮想広域アクセス網200用のＩＰパケット転送処理機能10-1-1で転送処理される。
【００８０】
このとき、収容装置10-1は、端末装置１から受信したＩＰパケットをカプセル化して、宛先ＩＰアドレスをアプリケーションサービス切換え装置３を収容する収容装置10-3の仮想広域アクセス網200用ＩＰパケット転送処理機能10-3-1のＩＰアドレスCORE＿β＿200とし、送信元ＩＰアドレスを収容装置10-1の広域アクセス網200用ＩＰパケット転送処理機能10-1-1のＩＰアドレスCORE＿α＿200として物理網100へ送信する。
【００８１】
上記収容装置10-1から送信されたカプセル化パケットは、物理網100内を転送されて収容装置10-3へ到達し、該カプセル化パケットは収容装置10-3においてデカプセル化され、収容装置10-3の仮想広域アクセス網200用のＩＰパケット転送処理機能10-3-1で転送処理され、アプリケーションサービス切換え装置３へ送信される。
【００８２】
アプリケーションサービス切換え装置３は、上記収容装置10-3から受信したＩＰパケットがアプリケーションサービス提供サーバ4-1へ送信できるかどうかを判断し、送信できる場合は、該ＩＰパケットを仮想アプリケーションサービス提供網300-1のアプリケーションサービス提供サーバ4-1宛てに送信する。このとき、収容装置10-3は該ＩＰパケットを仮想アプリケーションサービス提供網300-1用のＩＰパケット転送処理機能10-3-2で転送処理してカプセル化し、このカプセル化パケットを物理網100へ転送する。
【００８３】
この時のカプセル化ＩＰパケットの送信元ＩＰアドレスは、収容装置10-3の仮想アプリケーションサービス提供網300-1用のＩＰパケット転送処理機能10-3-2へ付与したCORE＿β＿300-1と設定され、宛先ＩＰアドレスは、収容装置10-2の仮想アプリケーションサービス提供網300-1用のＩＰパケット転送処理機能10-2-2へ付与したCORE＿γ＿300-1と設定される。
【００８４】
このカプセル化パケットは、物理網100内を転送され収容装置10-2へ到達し、収容装置10-2によってカプセル化パケットはデカプセル化され、これにより取出されたＩＰパケットが収容装置10-2の仮想アプリケーションサービス提供網300-1用のＩＰパケット転送機能10-2-2で転送処理され、アプリケーションサービス提供サーバ4-1へ送信される。
【００８５】
これにより、アプリケーションサービス提供サーバ4-1は、端末装置１から送信された自己宛のＩＰパケットを受信する。
【００８６】
このように仮想網ごとにパケット転送処理を分離し、各仮想網におけるＩＰパケットをカプセル化して物理網100を転送することで、単一物理網100上に複数の仮想網を構築することができる。
【００８７】
この仮想網を仮想広域アクセス網200、仮想アプリケーションサービス提供網300-1、仮想アプリケーションサービス提供網300-2として利用し、本発明を単一物理網100上で容易に実施することができる。
【００８８】
次に、前述の構成よりなる実施例のＩＰパケット転送システムにおけるＩＰパケット転送方法及びシステムの動作について、上記図４乃至図６を参照して説明する。尚、ここでは、図４における端末装置101、広域アクセス網2000、アプリケーション切換え制御装置102、アプリケーションサービス切換え装置103、アプリケーションサービス提供網3000-1，3000-2、アプリケーションサービス提供サーバ104-1，104-2を、それぞれ端末装置１、仮想広域アクセス網200、アプリケーション切換え制御装置２、アプリケーションサービス切換え装置３、アプリケーションサービス提供網300-1，300-2、アプリケーションサービス提供サーバ4-1，4-2に対応させて説明する。
【００８９】
まず、図４に示すように、ユーザは、端末装置１へアプリケーションサービス提供サーバ4-1に接続を要求する（ＳＡ１）。
【００９０】
ユーザから接続要求を受けた端末装置１は、アプリケーションサービス提供サーバ4-1のドメイン名を使用してドメイン解決要求をアプリケーションサービス切換え制御装置２へ仮想広域アクセス網200を使用して送信し（ＳＡ２）、アプリケーションサービス提供サーバ4-1のＩＰアドレス解決を試みる。
【００９１】
ここで、仮想アクセス網200を使用するとは、送信ＩＰパケットを各収容装置で仮想アクセス網200用のＩＰパケット転送処理機能で転送処理し、ＩＰパケットをカプセル化して物理網100内を転送することを意味する。以下で同様の表現は、上記と同様の方法を用いた転送を指す。
【００９２】
ドメイン解決要求を受信したアプリケーションサービス切換え制御装置２は、図５に示すアプリケーションサービス切換え制御装置２内部の受信ＩＰパケット処理手順に従い、ドメイン解決処理を行う。
【００９３】
このドメイン解決処理を行う際、アプリケーションサービス切換え制御装置２は、端末装置１からのＩＰパケットが仮想アプリケーションサービス提供網300-1へアクセス可能か否かを判定部30-3で判断し（ＳＢ１〜ＳＢ６）、アクセス不可能な場合は端末装置１にエラー応答パケットを送信し（ＳＢ７，８）する。また、アクセス可能な場合は、アプリケーションサービス切換え装置３に対して、端末装置１からのＩＰパケットの転送先仮想アプリケーションサービス提供網を仮想アプリケーションサービス提供網300-1に設定するように要求する書換え要求パケットを、仮想広域アクセス網200を使用して送信する（ＳＡ３，ＳＢ９〜ＳＢ１１）。
【００９４】
実際には、アプリケーションサービス切換え装置３とアプリケーションサービス切換え制御装置２は、同一の収容装置10-3に収容されているため、上記の書換え要求パケットは物理網100を転送されずに、収容装置10-3の仮想広域アクセス網用ＩＰパケット転送処理機能10-3-1で転送処理されて、アプリケーション切換え制御装置２からアプリケーションサービス切換え装置３へ転送される。
【００９５】
アプリケーションサービス切換え装置３は、図６に示した受信ＩＰパケット処理手順に従って、アプリケーションサービス切換え制御装置２から書換え要求パケットを受信すると、データベース部50-3の転送先仮想アプリケーションサービス提供網を決定するテーブルを書換え要求に合わせ設定し（ＳＣ１〜ＳＣ９）、書換え要求完了パケットをアプリケーションサービス切換え制御装置２へ送信する（ＳＣ１０〜ＳＣ１１）。この書換え要求完了パケットも上記と同じ様に仮想広域アクセス網200を使用して転送される。
【００９６】
アプリケーションサービス切換え制御装置２は、図５に示した受信ＩＰパケット処理手順に従って、アプリケーションサービス切換え装置３から書換え完了パケットを受信する（ＳＢ１２）と、仮想広域アクセス網200を使用して、端末装置１へドメイン解決応答パケットを送信する（ＳＢ１３〜ＳＢ１６）。
【００９７】
端末装置１は、アプリケーションサービス切換え制御装置２からドメイン解決応答を、仮想広域アクセス網200を通して受信すると、仮想広域アクセス網200を使用してアプリケーションサービス提供サーバ4-1宛てにＩＰパケットを送信する（ＳＡ６）。
【００９８】
端末装置１からアプリケーションサービス提供サーバ4-1宛てに送信されたＩＰパケットは、仮想広域アクセス網200内を転送され、アプリケーションサービス切換え装置３へ到達する。
【００９９】
アプリケーションサービス切換え装置３は、図６に示した受信ＩＰパケット処理手順に従って、端末装置１から受信したＩＰパケットをアプリケーションサービス提供サーバ4-1へ向けて仮想アプリケーションサービス提供網300-1を使用して転送する（ＳＡ７）。
【０１００】
アプリケーションサービス提供サーバ4-1は、仮想アプリケーションサービス提供網300-1内を転送された自己宛のＩＰパケットを受信する。
【０１０１】
これにより、ユーザＩＤやパスワード入力といった、ユーザが接続先の仮想アプリケーションサービス提供網300-1，300-2を明示的に指示する動作無しに、仮想広域アクセス網200に接続されている端末装置１からのＩＰパケットを仮想アプリケーションサービス提供網300-1へ送信することができる。
【０１０２】
次に、前述したアプリケーションサービス提供サーバ4-1へのＩＰパケット転送の後、ユーザが他のアプリケーションサービス提供サーバ4-2へ端末装置１からＩＰパケットを送信する場合について以下に説明する。
【０１０３】
この場合も、前述と同様にして、端末装置１は、アプリケーションサービス提供サーバ4-2のドメイン名を使用してドメイン解決要求を、仮想広域アクセス網200を使用してアプリケーションサービス切換え制御装置２へ送り、アプリケーションサービス提供サーバ4-2のＩＰアドレス解決を試みる。
【０１０４】
ドメイン解決要求を受信したアプリケーションサービス切換え制御装置２は、図５に示した受信ＩＰパケット処理手順に従って、端末装置１からのＩＰパケットが仮想アプリケーションサービス提供網300-2へアクセス可能か否かを判定部30-3で判断し、可能な場合、端末装置１からのＩＰパケットの転送先仮想アプリケーションサービス提供網を、仮想アプリケーションサービス提供網300-1から仮想アプリケーションサービス提供網300-2に書換えるように要求する書換え要求パケットを、仮想広域アクセス網200を使用してアプリケーションサービス切換え装置３へ送信する。
【０１０５】
アプリケーションサービス切換え装置３は、アプリケーションサービス切換え制御装置２から書換え要求パケットを受信すると、図６に示した受信ＩＰパケット処理手順に従って、データベース部50-3の転送先仮想アプリケーションサービス提供網を決定するテーブルのエントリを現在の仮想アプリケーションサービス提供網300-1から書換え要求に合わせて仮想アプリケーションサービス提供網300-2に再設定した後に、書換え要求完了パケットをアプリケーションサービス切換え制御装置２へ仮想広域アクセス網200を使用して送信する。
【０１０６】
アプリケーションサービス切換え制御装置２は、アプリケーションサービス切換え装置３から書換え完了パケットを受信すると、図５に示した受信ＩＰパケット処理手順に従って、ドメイン解決応答パケットを仮想広域アクセス網200を使用して端末装置１へ送信する。
【０１０７】
端末装置１は、仮想広域アクセス網200を介して、アプリケーションサービス切換え制御装置２からドメイン解決応答パケットを受信すると、仮想広域アクセス網200を使用してアプリケーションサービス提供サーバ4-2宛てにＩＰパケットを送信する。
【０１０８】
端末装置１からアプリケーションサービス提供サーバ4-2宛てに送信されたＩＰパケットは、仮想広域アクセス網200内を転送され、アプリケーションサービス切換え装置３へ到達する。
【０１０９】
アプリケーションサービス切換え装置３は、図６に示した受信ＩＰパケット処理手順に従って、端末装置１から受信したＩＰパケットをアプリケーションサービス提供サーバ4-2へ向けて、仮想アプリケーションサービス提供網300-2を使用して転送する。
【０１１０】
アプリケーションサービス提供サーバ4-1は、仮想アプリケーションサービス提供網300-1内を転送されてきた自己宛のＩＰパケットを受信する。
【０１１１】
これにより、端末装置１からのＩＰパケットをアプリケーションサービス提供サーバ4-1から別のアプリケーションサービス提供サーバ4-2に接続を切換える場合、ユーザＩＤやパスワードの入力といった、ユーザが接続先を切換える別の仮想アプリケーションサービス提供網300-2を明示的に指示する動作無しに、接続先の切替えを実現することができる。
【０１１２】
尚、前述した実施形態及び実施例は本発明の一具体例であって、本発明がこれらのみに限定されることはない。
【０１１３】
【発明の効果】
以上説明したように本発明によれば、端末装置から広域アクセス網を介してアプリケーションサービス提供網へ接続する場合、又は別のアプリケーションサービス提供網に接続を切換える場合に、前記端末装置を操作するユーザが接続先のアプリケーションサービス提供網を明示的に指示する必要が無いので、ユーザＩＤやパスワードの入力といったユーザの動作負荷を削減することができる。この動作負荷の削減により、ユーザは、接続先のアプリケーションサービス提供網を常に意識する必要がなくなるという非常に優れた効果を奏するものである。
【図面の簡単な説明】
【図１】本発明の一実施形態のＩＰパケット振分け転送システムを示すブロック構成図
【図２】本発明の一実施形態におけるアプリケーションサービス切換え制御装置を示すブロック構成図
【図３】本発明の一実施形態におけるアプリケーションサービス切換え装置を示すブロック構成図
【図４】本発明の一実施形態におけるＩＰパケット振分け転送方法を説明するシーケンス図
【図５】本発明の一実施形態におけるアプリケーションサービス切換え制御装置内部の受信ＩＰパケット処理手順を説明するフローチャート
【図６】本発明の一実施形態におけるアプリケーションサービス切換え装置内部の受信ＩＰパケット処理手順を説明するフローチャート
【図７】本発明の一実施例のＩＰパケット振分け転送システムを示すブロック構成図
【符号の説明】
1，101…端末装置、2，102…アプリケーションサービス切換え制御装置、3，103…アプリケーションサービス切換え装置、4-1，4-2，104-1，104-2…アプリケーションサービス提供サーバ、10-1，10-2，10-3…収容装置、10-1-1，10-3-1…収容装置内の仮想アクセス網用ＩＰパケット転送機能、10-2-2，10-3-2…収容装置内の仮想アプリケーションサービス提供網用ＩＰパケット転送機能、30-1…アプリケーションサービス切換え制御装置の送受信部、30-2…アプリケーションサービス切換え制御装置のＤＮＳ部、30-3…アプリケーションサービス切換え制御装置の判定部、30-4…アプリケーションサービス切換え制御装置の振分け先選択部、30-5…アプリケーションサービス切換え制御装置の制御部、50-1…アプリケーションサービス切換え装置の送受信部、50-2…アプリケーションサービス切替え装置の振分け部、50-3…アプリケーションサービス切換え装置のデータベース部、50-4…アプリケーションサービス切換え装置の設定部、100…物理網、200…仮想広域アクセス網、300-1，300-2，3000-1，3000-2…仮想アプリケーションサービス提供網。
【図１】
0003774155.tif 000002
【図２】
0003774155.tif 000003
【図３】
0003774155.tif 000004
【図４】
0003774155.tif 000005
【図５】
0003774155.tif 000006
【図６】
0003774155.tif 000007
【図７】
0003774155.tif 000008